(57)【要約】      （修正有）【課題】罠にかかっているイノシシなどの狩猟獣の動きを制限した後、狩猟者の安全を図りながら、狩猟獣の足を拘束する作業をより確実に行うことが可能な狩猟用足錠具を提供する。【解決手段】狩猟用足錠具Ａ１は、複数の湾曲した部材から成り、拡開および狭閉が可能な錠部１２、２０と、錠部１２、２０を狭閉方向へ付勢するねじりコイルバネと、錠部１２、２０を拡開してセットした状態を解除するトリガー具６と、錠部１２、２０を狭閉した状態の維持及び解除ができる係止具と係止歯２２からなる構造と、錠部２０に設けられ、錠部２０の狭閉方向の先端側が尖って突出した突刺ピン２９と、遠隔操作部材を装着するための装着孔１０２と、引っ張り操作を行うための操作ワイヤー１０３とを備える。【選択図】図１
2017055730.tif 000002
【特許請求の範囲】
【請求項１】
複数の湾曲した部材から成り、拡開および狭閉が可能な足錠部と、
該足錠部を狭閉方向へ付勢する付勢手段と、
前記足錠部を拡開してセットした状態を解除するトリガー手段と、
前記足錠部を狭閉した状態の維持及び解除が可能な狭閉維持手段と、
前記足錠部の部材の一または複数に設けられ、部材の狭閉方向の先端側が尖って突出した突刺部材と、
遠隔操作部材を装着するための装着手段と、
引っ張り操作を行うための索縄部材とを備える
狩猟用足錠具。
【請求項２】
前記足錠部および前記突刺部材が導体で形成されており、足錠部に電線を接続するための接続手段を備える
請求項１の狩猟用足錠具。
【請求項３】
前記突刺部材の突出長が調節できるように進退調節可能である
請求項１または２の狩猟用足錠具。
【請求項４】
前記トリガー手段が、前記足錠部の内部側において前記足錠部が拡開したときに形成される解放部と相対向して配置され、前記解放部側から外力が作用することにより作動する
請求項１、２または３の狩猟用足錠具。
【請求項５】
前記足錠部が、固定側錠部材と、可動側錠部材とを備えており、
前記固定側錠部材と前記可動側錠部材のうち、一方側に他方側の一部を移動可能に収容する収容部が設けられ、該収容部は収容された部材が前記足錠部の狭閉時において拡開方向および狭閉方向以外の方向へ動かないようにする止め手段を有している
請求項１、２、３または４の狩猟用足錠具。
【請求項６】
前記可動側錠部材が、可動側錠部材を付勢力に抗して拡開するための加力部材を着脱可能に係止または接続する手段を有している
請求項５の狩猟用足錠具。
【請求項７】
第１の遠隔操作部材に取り付けられ、導体でつくられた複数の湾曲した部材から成り、拡開および狭閉が可能な足錠部と、該足錠部を狭閉方向へ付勢する付勢手段と、前記足錠部を拡開してセットした状態を解除するトリガー手段と、前記足錠部を狭閉した状態の維持及び解除が可能な狭閉維持手段と、導体でつくられ、前記足錠部の部材の一または複数に設けられており、部材の狭閉方向の先端側が尖って突出した突刺部材とを備える一方側の電極となる狩猟用足錠具と、
第２の遠隔操作部材に取り付けられ、他方側の電極となる電極体と、
前記狩猟用足錠具および前記電極体に、処分対象である狩猟獣を含み閉回路となるように所要容量の電力を供給するための電力供給部とを備える
電気殺処分装置。
【発明の詳細な説明】
【技術分野】
【０００１】
本発明は、狩猟用足錠具およびそれを使用した電気殺処分装置に関するものである。詳しくは、罠にかかった狩猟獣の動きを制限して、狩猟者の安全を図りながら、狩猟獣を確実に捕獲、または殺処分するための狩猟用足錠具およびそれを使用した電気殺処分装置に関する。
【背景技術】
【０００２】
イノシシなどの狩猟獣を捕獲するためには、例えば足括り罠が使用されている。一般的な足括り罠は、踏板と連動するトリガー具によって罠を作動させ、踏板を踏み抜いた狩猟獣の足をバネなどの弾発力を利用してワイヤーで括るものである。罠にかかった狩猟獣はワイヤーに繋れた状態になるが、致命傷は受けていないので十分に余力があり、狩猟者が近付くことは大変危険である。
【０００３】
また、猟区には銃猟禁止地域があり、狩猟獣に致命傷を与えるためにむやみに発砲することはできない。しかし、ハンマーで叩いたりして中途半端に傷を負わせると大暴れして手負いとなる可能性があり、かえって危険である。そこで、多くの場合で、ワイヤーに繋れた狩猟獣の動きを足錠具などを使用して制限し、動けなくなったところでナイフ等で致命傷を与える方法が採られている。
【０００４】
このような足錠具として、本発明者は、特許文献１の「狩猟用足錠具」を提案している。この狩猟用足錠具は、円弧状の錠部を有する固定側錠部材と、錠部の基部寄りに回動可能に取り付けてある円弧状の可動側錠部材と、固定側錠部材と可動側錠部材の間に掛けてあり可動側錠部材を狭閉方向に付勢する引っ張りバネと、錠部に設けられ可動側錠部材を拡開状態で係止できるトリガー具を備える。
【０００５】
可動側錠部材の基部には係止方向へ付勢され進退可能な係止具の係止爪と戻り方向で噛み合う係止歯が設けてある。狩猟用足錠具は、罠にかかり捕獲ワイヤーに繋れているイノシシなどの狩猟獣の動きを制限した後、足を拘束して倒す作業を狩猟者の安全を図りながら確実に行うことができる、というものである。
【０００６】
一方、各種罠で捕獲した狩猟獣は、多くの場合、上記のようにナイフなどで致命傷を与えて殺処分されている。しかし、近年では、狩猟者にとってより安全な方法として、捕獲した狩猟獣に電気を流して失神（気絶）または感電死させる方法が推奨されている。この電気による処分は、失神または感電死させる処理を一瞬で行うことができる点で実用的かつ有用な方法であるといえる。
【先行技術文献】
【特許文献】
【０００７】
【特許文献１】特開２００１−１３６８９２号公報
【発明の概要】
【発明が解決しようとする課題】
【０００８】
しかしながら、上記した従来の狩猟用足錠具には、次のような課題があった。
すなわち、上記構造では、足錠具を捕獲獣の足に取り付ける際に、引っ張りバネの力を利用し両錠部材で足を閉じ込むようにするが、その状態を維持するための狭閉維持手段を備えているとはいっても、単に両錠部材の円弧部分で足を挟んでいるために、狩猟獣があばれたときに、挟んでいる位置がずれてしまったり、足から外れてしまったりすることは充分に考えられる。しかも、その際に狩猟獣が時に痛みを感じることもないため、狩猟獣があばれることを抑制しにくく、拘束に失敗する可能性は低くない。
【０００９】
また、狩猟用足錠具が、狩猟獣の足に取り付けられる点を考慮し、狩猟獣を電気で処分する際の電極として利用することが考えられる。しかしながら、イノシシなどの狩猟獣の足は、硬い毛に覆われているところが多いため、足錠具を皮膚に直接触れさせることが困難であり、足錠具を介して狩猟獣の体に電気を流すことは容易にはできない。
【００１０】
本発明は、以上の点を鑑みて創案されたものであり、罠にかかっているイノシシなどの狩猟獣の動きを制限した後、狩猟者の安全を図りながら、狩猟獣の足を拘束する作業をより確実に行うことが可能な狩猟用足錠具を提供することを目的とする。
また、上記目的に加えて、狩猟獣を電気で処分する際に狩猟用足錠具を電極として利用する場合、狩猟獣の足が硬い毛で覆われていても、狩猟獣の体に確実に電気を流すことができる狩猟用足錠具およびそれを使用した電気殺処分装置を提供することを目的とする。
【課題を解決するための手段】
【００１１】
（１）上記の目的を達成するために、本発明の狩猟用足錠具は、複数の湾曲した部材から成り、拡開および狭閉が可能な足錠部と、該足錠部を狭閉方向へ付勢する付勢手段と、前記足錠部を拡開してセットした状態を解除するトリガー手段と、前記足錠部を狭閉した状態の維持及び解除が可能な狭閉維持手段と、前記足錠部の部材の一または複数に設けられ、部材の狭閉方向の先端側が尖って突出した突刺部材と、遠隔操作部材を装着するための装着手段と、引っ張り操作を行うための索縄部材とを備える。
【００１２】
本発明の狩猟用足錠具は、罠にかかった狩猟獣の足に、足錠部を遠隔操作手段により操作して装着することができる。具体的には、まず、足錠部に遠隔操作部材を装着し、足錠部を拡開状態にしてセットし、罠の捕獲ワイヤーにつながれ引掛具などで動きが制限されている狩猟獣の足に装着し、トリガー手段を作動させることにより、足錠部を狭閉状態として足を挟む。
【００１３】
このとき、狭閉維持手段によって足錠部の狭閉状態が維持されるので、足から容易には外れることがない。そして、索縄部材を操作して狩猟獣を倒した後、足錠具を足から取り外すときには、狭閉維持手段による狭閉状態の維持を解除する。このように、罠にかかり捕獲ワイヤーにつながれているイノシシなどの狩猟獣の動きを制限した後、足を拘束して倒す作業を、狩猟者の安全を図りながら、確実に行うことができる。
【００１４】
なお、トリガー手段が作動すると、足錠部が狭閉状態となり、狩猟獣の足を挟む。このとき、足錠部の各部材に設けられている突刺部材が足の皮膚に刺さるので、硬い毛があっても邪魔にならず、狩猟用足錠具を介して狩猟獣に電気を流すことが可能になる。
【００１５】
また、突刺部材が足に刺さった状態では、動けば動くほど傷みが増すので、狩猟獣が暴れることを効果的に抑制することができる。更に、狭閉維持手段の作用により、足錠部の狭閉状態が維持され、狩猟獣が暴れることができないことも相まって狩猟用足錠具は狩猟獣の足から容易には外れない。
【００１６】
（２）本発明は、前記足錠部および前記突刺部材が導体で形成されており、足錠部に電線を接続するための接続手段を備える構成としてもよい。
【００１７】
この場合、接続手段を介し電力供給部から導出された電線を足錠部に接続し、電力供給部から足錠部に電力を供給することにより、突刺部材を通して狩猟獣に電気を通すことができ、電気による狩猟獣の殺処分が可能になる。
【００１８】
（３）本発明は、前記突刺部材の突出長が調節できるように進退調節可能である構成としてもよい。
【００１９】
この場合、足錠部が狭閉して狩猟獣の足を挟んだときに、突刺部材が足に突き刺さる深さを調節することができる。突刺部材が足に突き刺さる深さを浅くすれば、狩猟獣に残る傷を小さくすることができ、突き刺さる深さをより深くすれば、突刺部材が足に刺さった状態で、狩猟獣が動けば動くほど傷みが増すので、狩猟獣が暴れることを効果的に抑制することができる。
【００２０】
（４）本発明は、前記トリガー手段が、前記足錠部の内部側において前記足錠部が拡開したときに形成される解放部と相対向して配置され、前記解放部側から外力が作用することにより作動する構成としてもよい。
【００２１】
この場合、狩猟獣の足に足錠部を装着したとき、足がトリガー手段に当たることによってトリガー手段が作動し、足錠部が狭閉される。すなわち、狩猟者が特にトリガー手段の操作をしなくても、作業手順の中で上記動作を行うことにより自動的に作動するので、迅速かつ確実な作業ができる。
【００２２】
（５）本発明は、前記足錠部が、固定側錠部材と、可動側錠部材とを備えており、前記固定側錠部材と前記可動側錠部材のうち、一方側に他方側の一部を移動可能に収容する収容部が設けられ、該収容部は収容された部材が前記足錠部の狭閉時において拡開方向および狭閉方向以外の方向へ動かないようにする止め手段を有している構成としてもよい。
【００２３】
この場合、固定側錠部材と可動側錠部材が狭閉状態の時に、狩猟獣が暴れることによって錠部材の固定側錠部材または可動側錠部材に大きな荷重がかかっても、収容部に収容された部材は、部材の拡開方向および狭閉方向以外の方向へは動くことができない。したがって、収容部側の強度によって収容された側の強度が補強され、変形しにくくなるので、変形により足から外れてしまうことを防止できる。
【００２４】
（６）本発明は、前記可動側錠部材が、可動側錠部材を付勢力に抗して拡開するための加力部材を着脱可能に係止または接続する手段を有している構成とすることもできる。
【００２５】
この場合、加力部材を可動側錠部材に係止または接続して使用することで、可動側錠部材の拡開操作を比較的容易、かつ安全に行うことができる。また、可動側錠部材を拡開してトリガー手段をセットした後、加力部材を取り外せば、後の作動に支障が生じることはない。
【００２６】
（７）上記の目的を達成するために、本発明の電気殺処分装置は、第１の遠隔操作部材に取り付けられ、導体でつくられた複数の湾曲した部材から成り、拡開および狭閉が可能な足錠部と、該足錠部を狭閉方向へ付勢する付勢手段と、前記足錠部を拡開してセットした状態を解除するトリガー手段と、前記足錠部を狭閉した状態の維持及び解除が可能な狭閉維持手段と、導体でつくられ、前記足錠部の部材の一または複数に設けられており、部材の狭閉方向の先端側が尖って突出した突刺部材とを備える一方側の電極となる狩猟用足錠具と、第２の遠隔操作部材に取り付けられ、他方側の電極となる電極体と、前記狩猟用足錠具および前記電極体に、処分対象である狩猟獣を含み閉回路となるように所要容量の電力を供給するための電力供給部とを備える。
【００２７】
本発明の電気殺処分装置は、次のように作用する。まず、罠に掛かって動きが制限されている狩猟獣に近付き、電気殺処分装置の他方側の遠隔操作部材を操作して、先端の電極体を狩猟獣の鼻先に括られているワイヤーに接触させる。次に、一方側の遠隔操作部材を操作して、狩猟用足錠具の足錠部の解放部から狩猟獣の足に嵌め込むようにしてそのまま押し込む。
【００２８】
これによりトリガー手段に足が当たり、トリガー手段は押されて作動する。そして、狩猟者がスイッチなどを操作して電力供給部から電気を供給すると、閉回路の経路中にいる狩猟獣に電気が流れ、狩猟獣は感電して失神するか、感電死する。なお、狩猟用足錠具を狩猟獣の足から取り外すときには、通電の停止後、狭閉維持手段による狭閉維持状態を解除し、足錠部を拡開する。
【００２９】
なお、特許請求の範囲および明細書において、「固定側錠部材」と「可動側錠部材」の各用語は、それぞれを区別するために、便宜上、接頭語の「固定側」と「可動側」を使用しているが、固定側錠部材は遠隔操作部材が接続される基体を基準として固定されているのであり、構造的には固定側錠部材も可動側錠部材と同じ条件で作動するものであって、固定側錠部材は動かず、可動側錠部材だけが動くという構造を意味するものではない。
【００３０】
特許請求の範囲および明細書にいう「トリガー手段」は、例えば、足錠具を狩猟獣の足に装着すると自動的に作動するもの、あるいは操作紐などを引っ張ることにより作動するものなどであり、特にその構造を限定するものではない。
同じく「狭閉維持手段」は、足錠部がいったん狭閉状態となった後、その戻り（狭閉状態の緩み）を防止できるものであれば、その構造は特に限定しない。例えば、爪車の係止歯に爪を係止する構造（いわゆるラチェット構造）、ゴムや表面の粗い材料などを使用して摩擦で止める構造などである。
【００３１】
同じく「遠隔操作手段」は、例えば、竹や木などの自然素材の他、合成樹脂や金属など所要の剛性を有する棒体、伸縮調整が可能な棒状部材、棒状部材と索縄部材を組み合わせたもの、あるいはこれらを取り付けるための構造を含むものであるが、特に上記に限定するものではない。
同じく「装着手段」は、遠隔操作部材が装着できるものであればその構造は特に限定はしない。例えば、管体、吊下具、挟持具等である。同じく「索縄部材」としては通常は鋼線ワイヤーが使用されるが、これに限定せず、高張力を有する合成樹脂製のロープ等、他の索縄部材を使用してもよい。
【発明の効果】
【００３２】
本発明は、罠にかかっているイノシシなどの狩猟獣の動きを制限した後、狩猟者の安全を図りながら、狩猟獣の足を拘束する作業をより確実に行うことが可能な狩猟用足錠具を提供することができる。
また、上記効果に加えて、狩猟獣を電気で処分する際に狩猟用足錠具を電極として利用する場合、狩猟獣の足が硬い毛で覆われていても、狩猟獣の体に確実に電気を流すことができる狩猟用足錠具およびそれを使用した電気殺処分装置を提供することができる。
【図面の簡単な説明】
【００３３】
【図１】本発明に係る狩猟用足錠具の第１実施の形態を示し、可動側錠部材を開いてセットし、遠隔操作部材を接続した状態の一部を省略した斜視図である。
【図２】図１に示す狩猟用足錠具の正面視説明図である。
【図３】図１に示す狩猟用足錠具の背面視説明図である。
【図４】図１に示す狩猟用足錠具の平面視説明図である。
【図５】図１に示す狩猟用足錠具の底面視説明図である。
【図６】図１に示す狩猟用足錠具の右側面視説明図である。
【図７】図１に示す狩猟用足錠具の左側面視説明図である。
【図８】狩猟用足錠具の可動側錠部材を閉じて、遠隔操作部材を接続した状態の一部を省略した斜視図である。
【図９】図２におけるＩ−Ｉ断面説明図である。
【図１０】狩猟用足錠具の可動側錠部材を開いてセットする方法を示す、セット開始状態の説明図である。
【図１１】狩猟用足錠具の可動側錠部材を開いてセットする方法を示す、セット終了状態の説明図である。
【図１２】狩猟用足錠具の使用状態を示し、捕獲した狩猟獣を電気で処分する方法を示す説明図である。
【図１３】獣類鼻先を括ったワイヤーに電極を接触させている状態を示す説明図である。
【図１４】固定側錠部材の錠部先端の構造を示す要部説明図である。
【図１５】本発明に係る狩猟用足錠具の第２実施の形態を示し、（ａ）はセット前の状態、（ｂ）は可動側錠部材を開いてセットし、遠隔操作部材を接続した状態の一部を省略した正面図である。
【発明を実施するための形態】
【００３４】
図１ないし図５を参照して、本発明の実施の形態を更に詳細に説明する。
本発明の第１実施形態である狩猟用足錠具Ａ１は、例えば足括り罠を使用した猟で、狩猟獣の捕獲のための補助具として使用されるものである。
狩猟用足錠具Ａ１は、固定側錠部材１と可動側錠部材２を備えており、これらは導体であるステンレススチールで形成されている。なお、固定側錠部材１と可動側錠部材２は、必要な部分が導体であり、強度が充分であれば、アルミニウムなどの他の材料（複数の材料の複合体を含む）で形成することもできる。
【００３５】
固定側錠部材１は、中空の基体１０を有している。基体１０には、後述する係止具４を収容する案内空間部１７が設けられている。基体１０の表面側には、案内空間部１７に通じる長孔１１が形成されている（図９の断面図参照）。基体１０の基端部には、案内空間部１７に通じる水抜き孔（図示省略）設けてある。基体１０には、案内空間部１７と隣接して、先端部が塞がれた円形の装着孔１０２が所要深さで設けられている。装着孔１０２には、狩猟用足錠具Ａ１を遠隔操作できるように、竹竿などの遠隔操作部材１００が接続される。
【００３６】
基体１０には、板状で内側へ湾曲した円弧状の錠部１２が形成されている。錠部１２は、可動側錠部材２の後述する錠部２０と共に足錠部を構成する。錠部１２の先端部には、端板１３を二枚構造として、周縁部が開放された収容空間部１４が形成されている。収容空間部１４の隙間の間隔は、後述する可動側錠部材２の先端側の差込部２１の厚さよりやや広く設定され、差込部２１は収容空間部１４内部を移動可能である。また、上記両端板１３は、収容された差込部２１が拡開方向および狭閉方向以外の方向（厚み方向）へ動かないようにする止め手段を構成するものである。
【００３７】
なお、両端板１３は、本実施の形態では互いに平行であるが、図１４に示すように両端板１３ａの先端縁側が開くように傾斜または湾曲させることにより、仮に収容空間部１４ａ内部に土などが詰まっても、差込部２１が入りやすいようにすることができる。また、差込部２１は、本実施の形態では同じ厚さに形成されているが、内側の縁部を斜めに薄く形成して、収容空間部１４または収容空間部１４ａに、より入りやすいようにすることもできる。
【００３８】
錠部１２のほぼ中間部分の表面側には、ほぼ棒状のトリガー具６が取り付けられている。トリガー具６は、錠部１２、２０が拡開したときに形成される解放部（符号省略）と相対向して配置されている（図２参照）。トリガー具６は、取着ネジ６０を介し、取着ネジ６０を中心として回動可能かつ錠部１２の表面と離れる方向へも動くことができるように取り付けられている。すなわち、本実施の形態におけるトリガー具６の取り付け構造は、トリガー具６に設けられている取付孔（図示省略）の内径を取着ネジ６０の直径より大きくし、更に取着ネジ６０を最後までは締め付けないようにして、いわゆる遊着をした構造である。
【００３９】
また、トリガー具６の中間部分の裏面側には、係止突起６１が設けられている（図９の断面図参照）。係止突起６１は、後述する錠部２０の係止凹部２３に係止され、これにより、可動側錠部材２を開いた状態でセットするものである。
錠部１２の裏面側には、ねじりコイルバネ１５０を取り付ける際の芯となる芯体１５が設けられている。また、錠部１２の基部寄りに設けてある取着孔１６には、索縄部材である操作ワイヤー１０３がつながれている。操作ワイヤー１０３の取り付け側とは反対側の基体１０側面には、接続手段である取着金具８７を介し、後述するように電線８２が接続される。
【００４０】
そして、錠部１２の基部寄りには、可動側錠部材２の基部が軸ネジ３を介し、回動可能に取り付けられている。なお、上記芯体１５は、中心部にネジ孔１５１を有し、ネジ孔１５１には締め付け量を制限（一定以上は締まらないようにする等）することにより取着ネジ６０がねじ込まれて固定されている。この固定状態で、上記錠部１２と可動側錠部材２の間には若干の隙間があり、可動側錠部材２は回動可能である。
【００４１】
可動側錠部材２の錠部２０は板状で、先部側を内方向へ円弧状に湾曲させてある。これにより、上記錠部１２と錠部２０を狭閉すると、環状様になる。錠部２０の先端部には、錠部２０の他の部分よりやや薄い差込部２１が形成されている。また、錠部２０および上記錠部１２の基部寄りの裏面側には、バネ掛け部２００、１２０が固定されている。バネ掛け部２００、１２０には、芯体１５に装着されるねじりコイルバネ１５０の両アーム先端が掛けられる（図３など参照）。
【００４２】
錠部２０のやや基部寄りには、錠部２０の幅方向に、先端が尖った突刺部材である突刺ピン２９が進退調節可能に設けられている。詳しくは、錠部２０の幅方向に、内部に雌ネジ（符号省略）が切ってある螺子管２９０が固定されており、雄ネジ（符号省略）が切ってある突刺ピン２９が、尖った先端を内方向へ向け、螺子管２９０を貫通して螺合されている。
【００４３】
また、突刺ピン２９の雄ネジには、緩み止めのためのナット２９１が螺着されている。これにより、突刺ピン２９は、先端の内方への突き出し量を所要の範囲で調整することができる。さらに、突刺ピン２９は、回して取り外すことができるので、先端部を研ぎ直すこともできるし、突刺ピン２９自体を新しいものに交換することもできる。
【００４４】
錠部２０の先端寄りには、表裏面を貫通したピン孔２０１が形成されている。ピン孔２０１は、後で説明するように、梃子を利用した加力部材である拡開操作補助具５のピン５０を入れる孔である。なお、加力部材および錠部２０側の構成（ピン孔２０１）は、次に説明する拡開操作補助具５の構造に限定するものではなく、特に例は挙げないが、簡単かつ安全に拡開操作ができるものであれば、公知の各種手段を採用することができる。
【００４５】
ここで、拡開操作補助具５の構造を説明する。拡開操作補助具５は、可動側錠部材２の拡開操作を容易にするための道具であり、金属製の細い板を中間部で９０°捻り、一端側に所要の間隔で二箇所に板面と直角方向にピン５０、５１を設けた構造である。なお、拡開操作補助具５は、使用時には、先側のピン５０を錠部２０のピン孔２０１に入れ、後側のピン５１を錠部２０の外縁部に当てるようにする（図１０参照）。
【００４６】
また、錠部２０の基部は、円弧状に形成されており、その一部の縁部には、係止歯２２が設けてある。また、上記基体１０の内部に設けられている案内空間部１７には、係止具４が図２で上下方向へ進退可能に収容されている。係止具４は、先端部に係止歯２２と噛み合う係止爪４０を有している。係止具４は、コイルバネ４２で係止歯２２側へ付勢されている。なお、係止具４には、外部側から長孔１１を貫通させて固定ネジ４１が螺合してあり、必要に応じて係止具４を進退させ、案内空間部１７の所要の位置に固定できるようにしている。
【００４７】
なお、係止歯２２は、一方の歯面の角度が緩やかに形成されており、係止爪４０と噛み合った状態において、可動側錠部材２は狭閉する方向へは動くが、拡開する方向へは動かないようにしている。また、錠部２０の基部の外周部において、係止歯２２近傍には、上記トリガー具６の係止突起６１を係止するための係止凹部２３が形成されている。係止凹部２３は、狩猟用足錠具Ａ１を狩猟獣の足に掛けたとき、トリガー具６の係止突起６１が簡単に外れるように、掛かりを浅くするため底部を傾斜させて設けてある（図９の断面図参照）。
【００４８】
ここで、図１２を参照して、狩猟用足錠具Ａ１を使用した電気殺処分装置８の構造を説明する。
電気殺処分装置８は、ＤＣ１２Ｖのバッテリー８０を有している。バッテリー８０は、直流電力を交流電力に逆変換するインバーター８１に接続されている。インバーター８１の各極には、電線８２、８３がそれぞれ接続されており、一方の電線８２は遠隔操作部材１００の先端に固定されている狩猟用足錠具Ａ１に接続され、他方の電線８３は遠隔操作部材１０１の先端に固定されている棒状の電極体８４に接続されている。
【００４９】
また、遠隔操作部材１００の狩猟者Ｍの手元側には、電線８２の経路中にＯＮ／ＯＦＦを行うスイッチ８５が取り付けられており、遠隔操作部材１０１の手元側にも、電線８３の経路中に同様のスイッチ８６が取り付けられている。狩猟者Ｍは、一方の手で遠隔操作部材１００を持ち、他方の手で遠隔操作部材１０１を持って、狩猟獣９の殺処分作業を行うことができる。なお、エンジン発電機などの交流電源がある場合は、発電機から直接電力を得ることもできる。
【００５０】
（作用）
図１ないし図１３（主に図１２、図１３）を参照して、狩猟用足錠具Ａ１の使用方法および作用を説明する。
図１２において、狩猟獣であるイノシシ９は、罠の捕獲ワイヤーＷにより片方の前足が括られ、括り縄７によって鼻先が括られており、狩猟者Ｍにとって危険が少ないように、イノシシ９の動きは制限されている。
【００５１】
捕獲しているイノシシ９を電気で殺処分するために、まず、狩猟用足錠具Ａ１の基体１０の装着孔１０３に遠隔操作部材１００を装着する。次に、固定ネジ４１を緩めて係止具４を退動するようにずらして、係止爪４０と係止歯２２の噛み合いを解除し、固定ネジ４１を締めて係止具４を固定しておく。
【００５２】
この状態で、拡開操作補助具５を使用し、可動側錠部材２をねじりコイルバネ１５０の付勢力に抗して拡開し（図１０参照）、トリガー具６の係止突起６１を錠部２０の係止凹部２３に係止する。さらに、固定ネジ４１を緩めて係止具４を先端方向へ付勢し、係止歯２２が設けられている領域と合ったときに噛み合うことができるようにしてセット状態とする（図１１参照）。
【００５３】
そして、動きが制限されているイノシシ９に近付き、電気殺処分装置８の遠隔操作部材１０１を操作して、先端の電極体８４を括り縄７のワイヤー７０に接触させる。括り縄７は、狩猟獣の鼻先を括るワイヤー７０と木につなぐナイロンロープ７１からなる。
【００５４】
次に、遠隔操作部材１００を操作して、狩猟用足錠具Ａ１の固定側錠部材１と可動側錠部材２を解放部から狩猟獣９の足に嵌め込み、そのまま押し込む。これによりトリガー具６に足が当たり、トリガー具６は押されて、係止凹部２３の底面に案内されるようにしてせり上がり、係止凹部２３から外れる。このように狩猟者Ｍが特にトリガー具６の操作をしなくても、作業手順の中で自動的に作動するので、迅速かつ確実な作業ができる。
【００５５】
トリガー具６の係合が外れると、ねじりコイルバネ１５０の付勢力によって固定側錠部材１と可動側錠部材２が瞬時に狭閉状態となり、狩猟獣９の足を挟む。このとき、突刺ピン２９が足の皮膚に刺さるので、硬い毛があっても邪魔にならず、狩猟用足錠具Ａ１を介して狩猟獣９に電気を流すことが可能になる。また、突刺ピン２９が足に刺さった状態では、動けば動くほど傷みが増すので、狩猟獣９が暴れることを効果的に抑制することができる。更に、係止爪４０と係止歯２２は噛み合っているので、その作用により、固定側錠部材１と可動側錠部材２の狭閉状態が維持され、狩猟獣９が暴れることができないことも相まって狩猟用足錠具Ａ１は狩猟獣９の足から容易には外れない。
【００５６】
また、固定側錠部材１の先端部には、両端板１３で形成された収容隙間部１４があり、収容隙間部１４に収容された可動側錠部材２の差込部２１は、止め手段である両端板１３に挟まれる位置にあり、差込部２１は拡開方向および狭閉方向以外の方向へは動くことができない。
【００５７】
これにより、固定側錠部材１と可動側錠部材２が狭閉状態の時に、イノシシ９が暴れることによって固定側錠部材１と可動側錠部材２の一方に大きな荷重がかかっても、上記したように拡開方向および狭閉方向以外の方向へは動くことができない。したがって、収容部側の強度によって収容された側の強度が補強され、変形しにくく、変形により足から外れてしまうことを防止できる。
【００５８】
そして、狩猟者Ｍが各スイッチ８５、８６を同時に入れると、閉回路中にいる狩猟獣９に電気が流れ、狩猟獣９は感電して失神するか、感電死する。通電する電流の大きさは、適宜調整することが可能で、この調整と通電時間の調整で、狩猟獣を失神させるか感電死させるかの選択は可能である。なお、狩猟用足錠具Ａ１を狩猟獣９の足から取り外すときには、通電の停止後、係止具４をずらして係止爪４０と係止歯２２の噛み合いを解除し、可動側錠部材２を拡開すればよい。このように、狩猟用足錠具Ａ１を使用することにより、罠にかかり捕獲ワイヤーに繋れているイノシシなどの狩猟獣の動きを制限した後、電気で処分する作業を、狩猟者Ｍの安全を図りながら、確実に行うことができる。
【００５９】
図１５を参照して、本発明に係る第２実施の形態である狩猟用足錠具Ａ２の構造を説明する。
狩猟用足錠具Ａ２は、固定側錠部材１の錠部１２に突刺ピン１９が設けられている以外は、上記狩猟用足錠具Ａ１と同様の構造であるので、以下の説明では、共通する部分については上記狩猟用足錠具Ａ１の説明を援用し、重複する説明は省略する。また、図において上記狩猟用足錠具Ａ１の各部と同じ箇所には同じ符号を付して示す。
【００６０】
錠部１２の中間部には、錠部１２の幅方向に、先端が尖った突刺ピン１９が進退調節可能に設けられている。詳しくは、錠部１２の幅方向に、内部に雌ネジ（符号省略）が切ってある螺子管１９０が固定されており、雄ネジ（符号省略）が切ってある突刺ピン１９が、尖った先端を上記突刺ピン２９と相対向するように、螺子管１９０を貫通して螺合されている。また、突刺ピン１９の雄ネジには、緩み止めのためのナット１９１が螺着されている。これにより、突刺ピン１９は、先端の内方への突き出し量を所要の範囲で調整することができる。
【００６１】
（作用）
狩猟用足錠具Ａ２は、基本的な作用は、上記狩猟用足錠具Ａ１と同様であるので、共通する部分については説明を省略する。
狩猟用足錠具Ａ２は、狭閉して狩猟獣の足を挟む固定側錠部材１と可動側錠部材２のそれぞれに突刺ピン１９、２９が設けられているので、上記狩猟用足錠具Ａ１と比較して、狩猟獣の足から外れないようにする機能はより強力である。
【００６２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６３】
Ａ１  狩猟用足錠具
１  固定側錠部材
２  可動側錠部材
１０  基体
１１  長孔
１２  錠部
１２０  バネ掛け部
１３  端板
１４  収容空間部
１３ａ  端板
１４ａ  収容空間部
１５  芯体
１５０  捻りコイルバネ
１５１  ネジ孔
１６  取着孔
１７  案内空間部
１００、１０１  遠隔操作部材
１０２  装着孔
１０３  操作ワイヤー
２０  錠部
２００  バネ掛け部
２１  差込部
２２  係止歯
２３  係止凹部
２９  突刺ピン
２９０  螺子管
２９１  ナット
２０１  ピン孔
３  軸ネジ
４  係止具
４０  係止爪
４１  固定ネジ
４２  コイルバネ
５  拡開操作補助具５
５０、５１  ピン
６  トリガー具
６０  取着ネジ
６１  係止突起
７  括り縄
７０  ワイヤー
７１  ナイロンロープ
８  電気殺処分装置
８０  バッテリー
８１  インバーター
８２、８３  電線
８４  電極体
８５、８６  スイッチ
８７  取着金具
Ｗ  罠の捕獲ワイヤー
９  イノシシ
Ｍ  狩猟者
Ａ２  狩猟用足錠具
１９  突刺ピン
１９０  螺子管
１９１  ナット
【図１】
2017055730.tif 000003
【図２】
2017055730.tif 000004
【図３】
2017055730.tif 000005
【図４】
2017055730.tif 000006
【図５】
2017055730.tif 000007
【図６】
2017055730.tif 000008
【図７】
2017055730.tif 000009
【図８】
2017055730.tif 000010
【図９】
2017055730.tif 000011
【図１０】
2017055730.tif 000012
【図１１】
2017055730.tif 000013
【図１２】
2017055730.tif 000014
【図１３】
2017055730.tif 000015
【図１４】
2017055730.tif 000016
【図１５】
2017055730.tif 000017